(57)【特許請求の範囲】
【請求項１】
サマータイムの開始日と終了日が登録されていて、開始日の切換時刻になると内部時計が所定時間だけ自動的に進み、終了日の切換時刻になると内部時計が所定時間だけ自動的に戻るように構成したサマータイム機能付き時間管理装置に於いて、
上記のサマータイム機能によって内部時計が自動的に所定時間だけ進んだり戻ったりした時点から、時間データを処理する上での１日の区切りとするために予め設定した処理日付切換時刻よりも前迄の時間中に時間データの入力があった場合に、その入力の都度、サマータイム切換標記をこの時間データに付加せしめるサマータイム切換標記付加手段を具備して成ることを特徴とするサマータイム切換標記機能付き時間管理装置。
【請求項２】
予め設定されている処理日付切換時刻から、サマータイム機能によって内部時計が自動的に所定時間進んだり戻ったりした時点迄の間に、時間データが何も入力されなかった場合に、サマータイム切換標記付加手段による標記の付加を行わないようにする標記付加停止手段を具備せしめたことを特徴とする請求項１記載のサマータイム切換標記機能付き時間管理装置。
【請求項３】
サマータイム切換標記付加手段によって時間データに付加されるサマータイム切換標記が、サマータイムの開始と終了を区別することができる記号、図形、又は、文字等から成るマークであることを特徴とする請求項１又は２記載のサマータイム切換標記機能付き時間管理装置。
【請求項４】
サマータイム切換標記付加手段によって時間データに付加されるサマータイム切換標記が、サマータイム開始日或は終了日に、内部時計が自動的に切換わらなかったと仮定した場合の時刻であることを特徴とする請求項１又は２記載のサマータイム切換標記機能付き時間管理装置。
【発明の詳細な説明】
【０００１】
【発明の属する技術分野】
本発明は、サマータイム（英語名：Ｄａｙｌｉｇｈｔ  Ｓａｖｉｎｇ  Ｔｉｍｅ）機能を備えた時間管理装置に関し、具体的には、サマータイムによって内部時計の時刻が所定時間進んだり遅れたりした場合に、そのしるしを時間データに標記することができるサマータイム切換標記機能付き時間管理装置に関するものである。
【０００２】
【従来の技術】
海外輸出用として製造されている従来のサマータイム機能付きタイムレコーダ、駐車場料金計算機あるいは遊技場料金計算機とかは、その殆どが、サマータイムの開始日と終了日を予め登録することができ、開始日の切換時刻になると内部時計が所定時間（１時間）だけ自動的に進み、また、終了日の切換時刻になると内部時計が所定時間（１時間）だけ自動的に戻るように、自動時刻切換式に構成されている。
【０００３】
【発明が解決しようとする課題】
ところが、上記従来のサマータイム機能付きタイムレコーダでは、「内部時計の時刻切換」という事実が、タイムカード或は通信用の勤怠データ側に標記されないため、従業員が上記の切換時刻を跨いだ状態で勤務した場合には、給与計算が難しくなって給与額を間違えてしまうケースが多く発生しており、同様のことが駐車時間を計算する駐車場料金計算機或は遊技施設を利用した時間を計算する遊技場料金計算機についても発生していた。
【０００４】
要するに、サマータイム切換時の給与計算に当っては、勤怠データが示す労働時間数と事実上の労働時間数とを比較すれば、そこには１時間（所定時間）の違いがあることは容易に理解できるから、この時間数の違いを考慮に入れながら実際上の労働時間数に相当する給与計算を行えば、正しい給与額を算出することができるのであるが、しかし、上述したように勤怠データには「内部時計の時刻切換」の事実が標記されていないため、１時間の時間数の違いを忘れて労働時間数を計算してしまい、その結果、給与計算に間違いが発生していたのであり、駐車時間の計算或は遊技場の利用時間の計算の際も同様であった。
【０００５】
そこで本発明の技術的課題は、時間管理者に対して、サマータイムの切換時刻を跨いだ状態で勤務（タイムレコーダ）、駐車（駐車場料金計算機）、遊技（遊技場料金計算機）していることを知らせて、時間数の計算に間違いが生じないように注意を促すことであり、更に、他の技術的課題は、サマータイムによって内部時計の時刻が切換えられた時に、事実上の時間数の計算作業を容易に行えるようにすることである。
【０００６】
【課題を解決するための手段】
上記の技術的課題を解決するために本発明で講じた手段は以下の如くである。
【０００７】
サマータイムの開始日と終了日が登録されていて、開始日の切換時刻になると内部時計が所定時間だけ自動的に進み、終了日の切換時刻になると内部時計が所定時間だけ自動的に戻るように構成したサマータイム機能付き時間管理装置に於いて、
【０００８】
（１）  上記のサマータイム機能によって内部時計が自動的に所定時間だけ進んだり戻ったりした時点から、時間データを処理する上での１日の区切りとするために予め設定した処理日付切換時刻よりも前迄の時間中に時間データの入力があった場合に、その入力の都度、サマータイム切換標記をこの時間データに付加せしめるサマータイム切換標記付加手段を具備して成ること。
【０００９】
（２）  予め設定されている処理日付切換時刻から、サマータイム機能によって内部時計が自動的に所定時間進んだり戻ったりした時点迄の間に、時間データが何も入力されなかった場合に、サマータイム切換標記付加手段による標記の付加を行わないようにする標記付加停止手段を具備せしめること。
【００１０】
（３）  サマータイム切換標記付加手段によって時間データに付加されるサマータイム切換標記が、サマータイムの開始と終了を区別することができる記号、図形、又は、文字等から成るマークであること。
【００１１】
（４）  サマータイム切換標記付加手段によって時間データに付加されるサマータイム切換標記が、サマータイム開始日或は終了日に、内部時計が自動的に切換わらなかったと仮定した場合の時刻であること。
【００１２】
尚、上記の手段に於いて、時間データとはタイムレコーダに於ける出勤・退勤等の勤怠データ、駐車場料金計算機に於ける入庫・出庫データ、或は遊技場料金計算機に於ける利用開始・終了データなど、時間計算上の開始・中断・再開・終了データを意味するものであり、処理日付切換時刻とは上述の如く時間データを処理する上での１日の区切りとなる時刻を意味するものであって、例えば、処理日付切換時刻＝５：００で今日が９月３０日とすれば、９月３０日の朝５：００から１０月１日の朝４：４９までの間が、時間データ処理上の１日となって、暦の上では日付が変ったとしても例えばタイムカードの打刻は同じ日付の印字段に印字されるような仕組に成っている。
【００１３】
上記（１）〜（４）で述べた各手段は以下の如く作用する。
【００１４】
上記（１）で述べた手段によれば、サマータイム機能による内部時計の自動切換が行われた処理日にのみ限定して、時間データに対してサマータイム切換標記を付加するため、実際の時間数を計算する上での注意を促して、給与計算或は料金計算を正しく行うことを可能にする。
【００１５】
上記（２）で述べた手段によれば、サマータイム機能による内部時計の自動切換が行われた時刻を跨いだ状態で時間データが入力された場合にのみ、時間管理者に対して実際の時間数の計算上の注意を促すことができるが、上記の時刻を跨がない状態で時間データが入力された場合は、注意を促す必要がないから、サマータイム切換の標記を行なわずに時間データのみを記録することを可能にする。
【００１６】
上記（３）で述べた手段によれば、時間データに付加されているサマータイム切換標記（マーク）を確認することによって、当該時間データがサマータイムの開始日に記録されたものか、或は、終了日に記録されたものかを判断して、時間管理者に対して実際の時間数を計算する上での注意を促し、給与計算或は料金計算を間違いなく行うことを可能にする。
【００１７】
上記（４）で述べた手段によれば、時間データに付加されたサマータイム切換標記の時刻を確認することによって、サマータイムが無かった場合の時間データの入力時刻を時間管理者が考えて算出する手間を省くことができるから、事実上の労働時間数を極めて簡単に、且つ、正確に計算することを可能にすると共に、コンピュータによる時間数の自動計算も合せて可能にする。
【００１８】
以上の如くであるから、上記（１）〜（４）に述べた手段によって上述した技術的課題を解決して、前記従来技術の問題点を解消することができる。
【００１９】
【発明の実施の形態】
以下に、本発明に係るサマータイム切換標記機能付き時間管理装置の実施の形態を、タイムレコーダを例に挙げ添付した図面と共に詳細に説明する。
【００２０】
図１は本発明を実施したタイムレコーダの外観を示した斜視図であって、図中１は電子式のタイムレコーダ、１ａは図１２及び図１３に示した如きタイムカードＴＣを差込み自在に構成したカードポケット、２は現在の日時等を表示する表示器で、符号３で全体的に示したのはエンターキー３Ｅを含むテンキー３ａと、出勤時にＯＮする出勤キー３ｂと、退勤時にＯＮする退勤キー３ｃ、及び、モード切換専用のカギ穴３ｄとから成るキーボードで、４ａと４ｂは出勤キーｂと退勤キー３ｃに設けた表示ランプを示す。
【００２１】
図２は上述したタイムレコーダ１の電気的構成を説明したブロック図であって、制御部の中心を成す制御部の中心を成すＣＰＵ５に接続したバスＢＵＳには、システムプロクラムを格納したＲＯＭ６と、サマータイムの開始と終了の各日時を含むサマータイムの設定パラメータや各人の勤怠データ、或は、時刻データとか後述するサマータイム切換標記の付加データ等を記憶するデータメモリＲＡＭ７と、内部時計８と、カード搬送装置９と、インターフェイス回路１０が接続され、更にこのインターフェイス回路１０には、上述した表示器２とキーボード３に加えて、表示ランプ４ａ，４ｂを含むキーのランプと、勤怠データやその他各種のデータ類等を印字する印字装置１１と、必要に応じて各種の注意事項や伝達事項等を発音する発音装置１２が接続されていて、夫々がＣＰＵ５の監視の下でＲＯＭ６に格納されたシステムプログラムに従って制御作動されるように構成されている。
【００２２】
次に、図３と図４は請求項１に記載した如く従業員がサマータイムの切換時刻を跨いだ状態で勤務した場合の勤務パターンの一例を図式化したものであって、図３はサマータイムの開始（ＡＭ２：００）によって内部時計８が自動的に１時間進んだ時点から、処理日付切換時刻（ＡＭ５：００）よりも前迄の時間帯に勤怠データ（退勤）の入力があった場合の勤務状況が示されており、この様な時間帯に勤怠データの入力があった場合には、本発明ではその入力の都度、図２に示したＲＯＭ６に格納したプログラム（サマータイム切換標記付加手段）に従って、勤怠データにサマータイム開始用の切換標記を付加する仕組に成っている。
【００２３】
同じく図４は、サマータイムの終了（ＡＭ２：００）によって内部時計８が自動的に１時間戻った時点から、処理日付切換時刻（ＡＭ５：００）よりも前迄の時間帯に勤怠データ（退勤）の入力があった場合の勤務パターンの一例を示したものであって、この様な時間帯に勤怠データの入力があった場合には、本発明ではその入力の都度、プログラムに従って勤怠データにサマータイム終了用の切換標記が付加される仕組になっている。
【００２４】
図５と図６は、請求項２に記載した如く従業員が処理日付切換時刻（ＡＭ５：００）からサマータイムの開始（ＡＭ２：００）によって内部時計８が自動的に１時間進んだ時点、及び、サマータイムの終了（ＡＭ２：００）によって内部時計８が自動的に１時間戻った時点迄の間に、勤怠データが何も入力されなかった場合の勤務パターン、つまり、勤務がサマータイムによる内部時計８の自動切換を跨いだ状態で行われていない場合の勤務パターンの一例を示したものであって、この様な勤務状況下では、その処理日付に於いて実際の労働時間数を計算する上で注意を促す必要がないため、勤怠データにはサマータイム切換標記を付加しないように構成されている。
【００２５】
次に、図１２はタイムカードＴＣに印字された勤怠データに付加されるサマータイム切換標記の標記例を示したものであって、図中、Ｔａ…は印字された勤怠データ、ＳＡとＳＢはサマータイムの開始によって１時間進んだ場合と、サマータイムの終了によって１時間もどった場合に、専用の印字欄に印字装置１１によって印字出力されるサマータイム切換標記を示し、これ等のサマータイム切換標記ＳＡ，ＳＢは、請求項３に記載した如くサマータイムの開始と終了が一目で容易に判別することができる記号、図形、又は、文字から成るマークによって構成されるものであって、図示したものはその一例であることは勿論である。
【００２６】
図１３は、タイムカードＴＣに印字された勤怠データＴａに付加されるサマータイム切換標記の他の実施例を示したものであって、図中ＳＤとＳＥは、サマータイム開始日或は終了日に、内部時計８が自動的に切換わらなかったと仮定した場合の各時刻を示し、これ等の各時刻データＳＤ，ＳＥは印字装置１１を用いてタイムカードＴＣの専用欄に印字出力され、事実上の労働時間数を容易に計算することを可能にしている。
【００２７】
上述した実施例では、各サマータイム切換標記ＳＡ〜ＳＥをタイムカードＴＣに夫々マーク及び時刻として打刻印字することが記載されているが、これ等の各切換標記ＳＡ〜ＳＥは通信データに付加することも勿論可能である。
【００２８】
次に、本発明によるサマータイム切換標記の処理手順を図７乃至図１１に示したフローチャートに従って説明する。
【００２９】
尚、図７乃至図１１に示した「時計ステータス」に於いて、
０＝処理日において１時間の進み／戻りが発生していない状態、１＝サマータイム開始により１時間進み、且つ、処理日付切換時刻より前の状態、２＝サマータイム終了により１時間戻り、且つ、処理日付切換時刻より前の状態、を夫々意味する。
【００３０】
更に、「サマータイムフラグ」に於いて、
ＯＮ＝サマータイム中であり、通常より１時間進んだ状態、ＯＦＦ＝通常の状態、を夫々意味する。
【００３１】
図７は１分ごとに起動するバックグランド処理の手順を説明したものであって、始めのステップＳ１では現在がサマータイム中であるか否かを判定し、次のステップＳ２でサマータイム中と判定されるとステップＳ３に進み、サマータイム中でないと判定されるとステップＳ１０に進む。
【００３２】
ステップＳ３ではサマータイムフラグのＯＮ／ＯＦＦ状態が判定され、ＯＦＦの場合はステップＳ４に進んで内部時計８を１時間進めて次のステップＳ５に進むが、ＯＮの場合は後述するステップＳ８に進む。
【００３３】
ステップＳ５では上記のサマータイムフラグをＯＮしてサマータイム開始し、次いで、ステップＳ６に進んで現在の処理日をサマータイム切換日としてデータメモリＲＡＭ７に格納した後、ステップＳ７に進んで時計ステータスを“１”にしてステップＳ８に進む。
【００３４】
ステップＳ８では現在の処理日がサマータイム切換日であるか否かが判定され、サマータイム切換日でない場合はステップＳ９に進んで時計ステータスを“０”にして処理を終えるが、サマータイム切換日である場合はそのまま処理を終える。
【００３５】
一方、上述したステップＳ２でサマータイム中でないと判断された場合は、ステップＳ１０でサマータイムフラグのＯＮ／ＯＦＦ状態が判定され、ＯＦＦの場合はそのまま上述したステップＳ８に進むが、ＯＮの場合は次のステップＳ１１に進んで内部時計８を１時間戻し、次いでステップＳ１２に進んでサマータイムフラグをＯＦＦにした後、ステップＳ１３に進んで現在の処理日をサマータイム切換日としてデータメモリＲＡＭ７に格納し、更に次のステップＳ１４に進んで時計ステータスを“２”にして上述したステップＳ８に進む仕組に成っている。
【００３６】
図８は請求項１と３に記載したサマータイム切換標記の打刻処理手順を説明したものであって、始めのステップＳ２０でタイムカードＴＣをタイムレコーダ１のカードポケツト１ａに挿入すると、ステップＳ２１に進んでカード搬送装置９がタイムカードＴＣを当日の印字段位置まで搬送し、次いで、ステップＳ２２に進んで印字装置１１が現在時刻をタイムカードＴＣの該当印字欄に印字して次のステップＳ２３に進む。
【００３７】
ステップＳ２３では時計ステータスの状況が判定され、＝１の場合はステップＳ２４に進んで印字装置１１が図１２に示した標記ＳＡ、即ち、サマータイム開始により１時間進んだことを示すマークをタイムカードＴＣの該当欄に印字した後、ステップＳ２６に進んでカード搬送装置９がタイムカードＴＣをカードポケット１ａに排出して処理を終える。
【００３８】
しかし、時計ステータス＝０の場合はそのまま上記のステップＳ２６に進み、＝２の場合はステップＳ２５に進んで印字装置１１が図１２に示した標記ＳＢ、即ち、サマータイム終了により１時間戻ったことを示すマークをタイムカードＴＣの該当印字欄に印字した後、上述したステップＳ２６に進んで処理を終える。
【００３９】
図９は請求項２と３に記載したサマータイム切換標記の打刻処理手順を説明したものであって、このフローチャートではステップＳ３０，Ｓ３１，Ｓ３２のカード挿入、搬送、印字の各処理が終えると、次のステップＳ３３で現在の処理日が前回入力時の処理日であるか否かが判定され、前回入力時の処理日でない場合、つまり、現在の処理日における最初の入力である場合には、ステップＳ３４に進み、前回入力時の処理日である場合は後述するステップＳ３８に進む。
【００４０】
ステップＳ３４では時計ステータスが“０”であるか否かが判定され、＝０の場合はステップＳ３５に進んで入力フラグをＯＮにした後、ステップＳ３６に進んで現在処理日を前回入力時の処理日としてデータメモリＲＡＭ７に格納して、次のステップＳ３８に進むが、０でない場合はステップＳ３７に進んで入力フラグをＯＦＦにした後、上記のステップＳ３６に進む。
【００４１】
尚、入力フラグ＝ＯＮと成るのは現在の処理日に於ける最初の入力があった時に、時計ステータス＝０であった場合、つまり、図３或いは図４における出勤のようにサマータイムの切換前に出勤データが入力されたことを示すものであり、また、ＯＦＦとなるのは図５或いは図６における出勤のようにサマータイムの切換後に出勤データが入力されたことを示すものであるのであって、その日の２回目つまり退勤データが入力される際には、ステップＳ３３からステップＳ３８へと進み、この入力フラグ（出勤時のＯＮ／ＯＦＦ状態が保持されている）を参照することによって、サマータイムの切換を跨いで出勤と退勤の勤怠データ入力が行われた場合にのみ、サマータイム標記ＳＡまたはＳＢを印字するようにしている。
【００４２】
即ち、退勤データが入力された際、ステップＳ３８において出勤時の入力フラグのＯＮ／ＯＦＦ状態が判定され、ＯＮの場合つまり出勤時にサマータイム切換前であった場合は、次のステップＳ３９に進んで退勤時の時計ステータスの状況を判定し、＝１の場合はステップＳ４０に進んで印字装置１１が図１２に示したサマータイム開始により１時間進んだことを表す標記ＳＡをタイムカードＴＣの該当印字欄に印字した後、ステップＳ４２に進んでカード搬送装置９がタイムカードＴＣをカードポケット１ａに排出して処理を終えるが、＝０の場合は直接ステップＳ４２に進み、＝２の場合はステップＳ４１に進んで同じく図１２に示したサマータイム終了により１時間戻ったことを表す標記ＳＢをタイムカードＴＣの該当印字欄に印字した後、ステップＳ４２を実行して処理を終える仕組に成っており、以上の様にしてサマータイムの切換時刻を跨いで勤務した場合にのみ、勤怠データに切換標記を付加している。
【００４３】
図１０は請求項４に記載したサマータイム切換標記の打刻処理手順を説明したものであって、このフローチャートでは前記図８に示したフローチャートのステップＳ２０〜Ｓ２３と同じ各ステップＳ５０〜Ｓ５３を実行した後、時計ステータス＝１の場合はステップＳ５４に進んで図１３に示した現在時刻より１時間前の退勤時刻ＳＤを印字装置１１がタイムカードＴＣの該当印字欄に印字して、次いで、ステップＳ５５のカード排出処理に進んで処理を終える。
【００４４】
しかし、時計ステータス＝０の場合はそのままステップＳ５５のカード排出処理に進み、＝２の場合はステップＳ５６に進んで、図１３に示した現在時刻より１時間後の退勤時刻ＳＥを印字装置１１がタイムカードＴＣの該当印字欄に印字した後、ステップＳ５５のカード排出処理に進む。
【００４５】
図１１は同じく請求項４に記載したサマータイム切換標記の打刻処理手順を説明したものであって、このフローチャートでは前記図９に示したフローチャートのステップＳ３０〜Ｓ３９と同じ各ステップＳ６０〜Ｓ７８を実行した後、時計ステータス＝１の場合はステップＳ７９に進んで図１３に示した現在時刻より１時間前の退勤時刻ＳＤの打刻印字を行い、次いで、ステップＳ８０のカード排出処理を行って処理を終える。
【００４６】
しかし、時計ステータス＝０の場合はそのままステップＳ８０のカード排出処理に進み、＝２の場合はステップＳ８１に進んで、図１３に示した現在時刻より１時間後の退勤時刻ＳＥを打刻印字処理した後、ステップＳ８０のカード排出処理を行って処理を終える。
【００４７】
尚、図１４は本発明に係るサマータイム切換標記機能付きタイムレコーダの全体を説明した機能構成図である。
【００４８】
以上、タイムレコーダを例に挙げて説明したが、駐車場料金計算機或は遊技場料金計算機の場合も、原理的には同様であるため説明は省略する。
【００４９】
【発明の効果】
本発明に係るサマータイム切換標記機能付き時間管理装置は以上述べた如くであって、サマータイム機能によって内部時計が自動的に切換ったことを、サマータイム切換標記の付加によって明示するため、時間管理者が実際の時間数を計算する上でまことに都合がよく、サマータイム切換時に於ける給与計算或は料金計算の間違いを防止することができる。
【図面の簡単な説明】
【図１】本発明に係るサマータイム切換標記機能付きタイムレコーダの外観を示した斜視図である。
【図２】図１に示したタイムレコーダの電気的構成を説明したブロック図である。
【図３】サマータイム開始日の切換時刻を跨いだ状態の勤務パターンの例を示した説明図である。
【図４】サマータイム終了日の切換時刻を跨いだ状態の勤務パターンの例を示した説明図である。
【図５】サマータイム開始日の切換時刻を跨がない状態の勤務パターンの例を示した説明図である。
【図６】サマータイム終了日の切換時刻を跨がない状態の勤務パターンを示した説明図である。
【図７】バックグランド処理の手順を説明したフローチャートである。
【図８】請求項１と３に係るサマータイム切換標記の打刻処理手順を説明したフローチャートである。
【図９】請求項２と３に係るサマータイム切換標記の打刻処理手順を説明したフローチャートである。
【図１０】請求項１と４に係るサマータイム切換標記の打刻処理手順を説明したフローチャートである。
【図１１】請求項２と４に係るサマータイム切換標記の打刻処理手順を説明したフローチャートである。
【図１２】タイムカードに対するサマータイム切換標記の打刻印字例を説明した一部破断正面図である。
【図１３】タイムカードに対するサマータイム切換標記の他の打刻印字例を説明した一部断面正面図である。
【図１４】タイムレコーダを例に挙げて本発明の全体を説明した機能構成図である。
【符号の説明】
ＴＣ                タイムカード
Ｔａ                勤怠データ
ＳＡ，ＳＢ          サマータイム切換標記マーク
ＳＤ，，ＳＥ        サマータイム切換標記時刻データ
１                  タイムレコーダ
８                  内部時計
９                  カード搬送装置
１１                印字装置
【図１】
0003578857.tif 000002
【図２】
0003578857.tif 000003
【図３】
0003578857.tif 000004
【図４】
0003578857.tif 000005
【図５】
0003578857.tif 000006
【図６】
0003578857.tif 000007
【図７】
0003578857.tif 000008
【図８】
0003578857.tif 000009
【図９】
0003578857.tif 000010
【図１０】
0003578857.tif 000011
【図１１】
0003578857.tif 000012
【図１２】
0003578857.tif 000013
【図１３】
0003578857.tif 000014
【図１４】
0003578857.tif 000015